(57)【要約】  【課題】基地局の圏外に位置する無線通信端末の情報を、周辺地域の環境に負荷をかけることなく低コストでより確実に所定の通報先へ通報する技術を提供する。  【解決手段】救助要請メッセージを作成あるいは受信した携帯端末１は、これを救助要請記憶部１０９に記憶する。そして、自携帯端末１が圏内境界部４１に位置している場合、救助要請メッセージを救助センタ装置２に送信して救助要請記憶部１０９から削除する。一方、自携帯端末１が対基地局４の圏外４２に位置している場合、他の携帯端末１からの接続要求を待って、アドホック通信による無線通信路を確立し、救助要請メッセージを送信する。また、救助要請メッセージを救助要請記憶部１０９に記憶していない携帯端末１は、定期あるいは非定期に接続要求を繰り返し同報送信して、接続要求に応答した他の携帯端末１との間に、アドホック通信による無線通信路を確立し、救助要請メッセージを受信する。【選択図】図１
2015005915.tif 000002
【特許請求の範囲】
【請求項１】
基地局の圏外に位置する無線通信端末により作成された所定の情報を少なくとも一台の他の無線通信端末を介して所定の通報先へ通報する通報方法であって、
前記基地局の圏外に位置する無線通信端末は、
接続要求の受信を待ち、当該接続要求を受信したならば、応答を返信して当該接続要求の送信元との間に通信路を確立し、当該接続要求の送信元に前記所定の情報を送信し、
前記他の無線通信端末は、
定期あるいは非定期に前記接続要求を繰り返し同報送信し、当該接続要求に対する応答を受信したならば、当該応答の送信元との間に通信路を確立して、当該応答の送信元から前記所定の情報を受信するとともに、
自無線通信端末が前記基地局の圏内ならば、受信した前記所定の情報を、前記基地局を介して前記所定の通報先に送信し、
自無線通信端末が前記基地局の圏外ならば、前記接続要求の繰り返し同報送信を停止して、接続要求の受信を待ち、当該接続要求を受信したならば、応答を返信して当該接続要求の送信元との間に通信路を確立し、当該接続要求の送信元に前記所定の情報を送信する
ことを特徴とする通報方法。
【請求項２】
基地局を介することなく他の無線通信端末と無線通信可能な無線通信端末であって、
自無線通信端末が前記基地局の圏内に位置しているか否かを判定する圏内判定手段と、
操作者の指示に従い所定の情報を作成する情報作成手段と、
前記情報作成手段により作成された、あるいは前記他の無線通信端末から受信した前記所定の情報を記憶する情報記憶手段と、
前記情報記憶手段に前記所定の情報が記憶されていない場合に、定期あるいは非定期に接続要求を繰り返し同報送信する接続要求送信手段と、
前記情報記憶手段に前記所定の情報が記憶されている場合に、前記圏内判定手段により自無線通信端末が前記基地局の圏内に位置していると判定されたならば、前記基地局を介して所定の通報先に前記所定の情報を送信する通報手段と、
前記情報記憶手段に前記所定の情報が記憶されている場合に、前記圏内判定手段により自無線通信端末が前記基地局の圏外に位置していると判定されたならば、前記他の無線通信端末から同報送信される前記接続要求を監視し、当該他の無線通信端末から受信した前記接続要求に応答して当該他の無線通信端末に前記所定の情報を送信する中継手段と、を有する
ことを特徴とする無線通信端末。
【請求項３】
請求項２に記載の無線通信端末であって、
前記通報手段により前記所定の情報が前記所定の通報先に送信された場合に、当該所定の情報を前記情報記憶手段から削除する削除手段をさらに有する
ことを特徴とする無線通信端末。
【請求項４】
請求項２ないし３のいずれか一項に記載の無線通信端末であって、
前記所定の通報先に通報済みの情報を記憶する通報済み情報記憶手段と、
前記他の無線通信端末から受信した前記所定の情報が前記通報済み情報記憶手段に記憶されている場合に、当該所定の情報が通報済みである旨の通知を当該他の無線通信端末に送信する通報済み通知手段と、
前記中継手段によって送信された前記所定の情報の送信先である前記他の無線通信端末から、前記通報済みである旨の通知を受信した場合に、当該所定の情報を、前記通報済み情報記憶手段に追加するとともに前記情報記憶手段から削除する追加削除手段と、
前記他の無線通信端末から受信した前記所定の情報が前記通報済み情報記憶手段に記憶されている場合に、当該所定の情報を、前記情報記憶手段に記憶することなく破棄する破棄手段と、をさらに有する
ことを特徴とする無線通信端末。
【請求項５】
請求項４に記載の無線通信端末であって、
前記圏内判定手段により自無線通信端末が前記基地局の圏内に位置していると判定されている場合に、前記基地局を介して所定のサーバから前記通報済みの情報を取得して、前記通報済み情報記憶手段に記憶する通報済み情報取得手段をさらに有する
ことを特徴とする無線通信端末。
【請求項６】
基地局を介することなく他の無線通信端末と無線通信可能な無線通信機能を有するコンピュータを、
自コンピュータが前記基地局の圏内に位置しているか否かを判定する圏内判定手段、
操作者の指示に従い所定の情報を作成する情報作成手段、
前記情報作成手段により作成された、あるいは前記他の無線通信端末から受信した前記所定の情報を記憶する情報記憶手段、
前記情報記憶手段に前記所定の情報が記憶されていない場合に、定期あるいは非定期に接続要求を繰り返し同報送信する接続要求送信手段、
前記情報記憶手段に前記所定の情報が記憶されている場合に、前記圏内判定手段により自コンピュータが前記基地局の圏内に位置していると判定されたならば、前記基地局を介して所定の通報先に前記所定の情報を送信する通報手段、および
前記情報記憶手段に前記所定の情報が記憶されている場合に、前記圏内判定手段により自コンピュータが前記基地局の圏外に位置していると判定されたならば、前記他の無線通信端末から同報送信される前記接続要求を監視し、当該他の無線通信端末から受信した前記接続要求に応答して当該他の無線通信端末に前記所定の情報を送信する中継手段、として機能させる
ことを特徴とするプログラム。
【発明の詳細な説明】
【技術分野】
【０００１】
本発明は、基地局の圏外に位置する無線通信端末の情報を所定の通報先へ通報する技術に関する。
【背景技術】
【０００２】
特許文献１には、携帯電話網の電波が届かない山中での遭難等において、要救助者が保持する携帯電話機による救助要請を可能とする技術が開示されている。この技術において、救助隊は、ヘリコプタ等を用いて上空から要救助者が存在すると推定される地域に中継センサを多数散布する。要救助者の携帯電話機は、周囲に散布された中継センサとアドホック通信を行って、現在地情報を含む救助信号をこれらの中継センサに送信する。救助信号を受信した中継センサは、周囲に位置する他の中継センサとアドホック通信を行って、救助信号を他の中継センサに送信する。この処理が繰り返されることにより、救助信号が複数の中継センサに拡散する。そして、救助信号を受信した中継センサのうち、救助隊員の携帯電話機とアドホック通信可能な位置に散布された中継センサは、救助隊員の携帯電話機とアドホック通信を行って、救助信号をこの携帯電話機に送信する。
【先行技術文献】
【特許文献】
【０００３】
【特許文献１】特開２００６−２３７６６６号公報
【発明の概要】
【発明が解決しようとする課題】
【０００４】
しかしながら、特許文献１に記載の技術では、多数の中継センサを、要救助者が存在すると推定される地域に、ヘリプタ等を用いて上空から散布しなければならず、多大なコストがかかる。また、散布したこれらの中継センサをすべて回収することは困難であり、中継センサの散布地域の環境を悪化させる可能性がある。また、救助隊は、要救助者の存在を認識してから出動するため、遭難等が発生してから中継センサが散布されるまでに時間がかかる可能性がある。ここで、要救助者の携帯電話機は、要救助者の操作により救助モードに切り替わると、救助信号を出し続けるため、中継センサが散布される前にバッテリが消耗してしまう可能性もある。
【０００５】
本発明は上記事情に鑑みてなされたものであり、その目的は、基地局の圏外に位置する無線通信端末の情報を、周辺地域の環境に負荷をかけることなく低コストでより確実に所定の通報先へ通報する技術を提供することにある。
【課題を解決するための手段】
【０００６】
上記課題を解決するために、本発明においては、所定の情報を作成あるいは受信した無線通信端末は、この所定の情報を保持し、自無線通信端末が基地局の圏内に位置しているならば、基地局を介して所定の通報先に所定の情報を送信する。一方、自無線通信端末が基地局の圏外に位置しているならば、他の無線通信端末から接続要求が送られてくるのを待って、他の無線通信端末との間に通信路を確立し、この通信路を介して他の無線通信端末に所定の情報を送信する。また、所定の情報を保持していない無線通信端末は、定期あるいは非定期に接続要求を繰り返し同報送信して、この接続要求に応答した他の無線通信端末との間に通信路を確立し、他の無線通信端末から所定の情報を受信する。
【０００７】
例えば、本発明の通報方法は、基地局の圏外に位置する無線通信端末により作成された所定の情報を少なくとも一台の他の無線通信端末を介して所定の通報先へ通報する通報方法であって、
前記基地局の圏外に位置する無線通信端末は、
接続要求の受信を待ち、当該接続要求を受信したならば、応答を返信して当該接続要求の送信元との間に通信路を確立し、当該接続要求の送信元に前記所定の情報を送信し、
前記他の無線通信端末は、
定期あるいは非定期に前記接続要求を繰り返し同報送信し、当該接続要求に対する応答を受信したならば、当該応答の送信元との間に通信路を確立して、当該応答の送信元から前記所定の情報を受信するとともに、
自無線通信端末が前記基地局の圏内ならば、受信した前記所定の情報を、前記基地局を介して前記所定の通報先に送信し、
自無線通信端末が前記基地局の圏外ならば、前記接続要求の繰り返し同報送信を停止して、接続要求の受信を待ち、当該接続要求を受信したならば、応答を返信して当該接続要求の送信元との間に通信路を確立し、当該接続要求の送信元に前記所定の情報を送信する。
【０００８】
また、例えば、本発明の無線通信端末は、基地局を介することなく他の無線通信端末と無線通信可能な無線通信端末であって、
自無線通信端末が前記基地局の圏内に位置しているか否かを判定する圏内判定手段と、
操作者の指示に従い所定の情報を作成する情報作成手段と、
前記情報作成手段により作成された、あるいは前記他の無線通信端末から受信した前記所定の情報を記憶する情報記憶手段と、
前記情報記憶手段に前記所定の情報が記憶されていない場合に、定期あるいは非定期に接続要求を繰り返し同報送信する接続要求送信手段と、
前記情報記憶手段に前記所定の情報が記憶されている場合に、前記圏内判定手段により自無線通信端末が前記基地局の圏内に位置していると判定されたならば、前記基地局を介して所定の通報先に前記所定の情報を送信する通報手段と、
前記情報記憶手段に前記所定の情報が記憶されている場合に、前記圏内判定手段により自無線通信端末が前記基地局の圏外に位置していると判定されたならば、前記他の無線通信端末から同報送信される前記接続要求を監視し、当該他の無線通信端末から受信した前記接続要求に応答して当該他の無線通信端末に前記所定の情報を送信する中継手段と、を有する。
【発明の効果】
【０００９】
本発明において、基地局の圏外に位置する無線通信端末により作成された所定の情報は、この無線通信端末と直接通信可能な少なくとも一台の移動中の無線通信端末に拡散し、基地局の圏内に位置する無線通信端末によって所定の通報先に中継される。このため、所定の情報を作成した無線通信端末の所在地を含む地域に中継センサ等を多数散布する必要がない。また、所定の情報を保持する無線端通信端末以外の無線通信端末によって接続要求の繰り返し同報送信が行われ、所定の情報を保持している無線通信端末は、接続要求の繰り返し同報送信を行うことなく、自無線通信端末が基地局の圏内に移動するか、あるいは他の無線通信端末から接続要求を受信するのを待つ。このため、所定の情報を保持している無線通信端末のバッテリ消耗を抑制できる。
【００１０】
したがって、本発明によれば、基地局の圏外に位置する無線通信端末の情報を、周辺地域の環境に負荷をかけることなく低コストでより確実に所定の通報先へ通報することができる。
【図面の簡単な説明】
【００１１】
【図１】図１は、本発明の一実施の形態に係る緊急通報システムの概略構成図である。
【図２】図２は、本発明の一実施の形態に係る緊急通報システムの動作例を説明するためのシーケンス図である。
【図３】図３は、本発明の一実施の形態に係る緊急通報システムの動作例を説明するためのシーケンス図である。
【図４】図４は、携帯端末１の概略機能構成図である。
【図５】図５は、対応済リスト記憶部１１０の登録内容例を模式的に表した図である。
【図６】図６は、携帯端末１の動作を説明するためのフロー図である。
【図７】図７は、携帯端末１の救助要請支援処理を説明するためのフロー図である。
【発明を実施するための形態】
【００１２】
以下に、本発明の一実施の形態について説明する。
【００１３】
図１は、本実施の形態に係る緊急通報システムの概略構成図である。
【００１４】
図示するように、緊急通報システムは、救助センタ装置２と、対応済リスト配信装置３と、基地局４の圏内（圏内中央部４０、および圏内中央部４０と圏外４２との間の領域である圏内境界部４１）に位置している場合に基地局４およびＷＡＮ５を介して救助センタ装置２および対応済リスト配信装置３と通信可能な複数の携帯端末１−１〜１−４（以下、単に携帯端末１とも称する）と、を備えて構成される。
【００１５】
救助センタ装置２は、基地局４およびＷＡＮ５を介して携帯端末１から、携帯端末１のユーザ情報および現在地情報を含む救助要請メッセージを受信する。対応済リスト配信装置３は、ＷＡＮ５および基地局４を介して携帯端末１から受信した対応済リスト要求メッセージに従い、救助センタ装置２が受信した救助要請メッセージのうち、救助隊によって対応済みの救助要請メッセージのリストである対応済リストを送信する。携帯端末１は、基地局４を介することなく他の携帯端末１と無線通信するためのアドホック通信機能を有する。
【００１６】
上記構成の緊急通報システムにおいて、基地局４の圏外４２に位置する携帯端末１は、操作者の指示に従い作成した、あるいは他の携帯端末１により受信した救助要請メッセージをアドホック通信機能により他の携帯端末１に拡散する。そして、基地局４の圏内境界部４１に位置する携帯端末１は、アドホック通信機能により他の携帯端末１から受信した救助要請メッセージを、基地局４およびＷＡＮ５を介して救助センタ装置２に送信する。また、携帯端末１は、アドホック通信機能により他の携帯端末１から受信した救助要請メッセージが、対応済リスト配信装置３より取得した対応済リストに記述されている場合、この救助要請メッセージを破棄するとともに、この救助要請メッセージに対応済みであることを示す対応済通知メッセージを救助要請メッセージ送信元の携帯端末１に通知して、この携帯端末１にこの救助要請メッセージを破棄させる。これにより、救助隊によって対応済みである救助要請メッセージの拡散を防止する。
【００１７】
図２および図３は、本実施の形態に係る緊急通報システムの動作例を説明するためのシーケンス図である。図３は、図２に示す動作例の続きを示している。
【００１８】
携帯端末１−１〜１−３は基地局４の圏外４２に位置しており（Ｓ１００〜Ｓ１０２）、携帯端末１−４は基地局４の圏内中央部４０に位置しているものとする（Ｓ１０３）。
【００１９】
まず、携帯端末１−１〜１−３は、自携帯端末１が基地局４の圏外４２あるいは圏内境界部４１に位置していることを検知し、近隣の携帯端末１とアドホック通信を行うための接続要求の定期あるいは非定期の繰り返し同報送信を開始する（Ｓ１０４〜Ｓ１０６）。
【００２０】
つぎに、携帯端末１−１が操作者から救助要請操作を受け付けたとする（Ｓ１０７）。これを受けて、携帯端末１−１は、ＧＰＳ機能を用いて算出した現在地情報および操作者のユーザ情報を含む救助要請メッセージ（ＭＳＧ）を作成し保持する（Ｓ１０８）。それから、接続要求の繰り返し同報送信を停止し、他の携帯端末１から接続要求が送られてくるのを待つ（Ｓ１０９）。
【００２１】
ここで、携帯端末１−２が、携帯端末１−１とアドホック通信可能な距離まで接近してきたものとする（Ｓ１１０）。携帯端末１−１は、携帯端末１−２から同報送信された接続要求を受信して（Ｓ１１１）、応答を返信する（Ｓ１１２）。これにより、携帯端末１−１と携帯端末１−２との間に、アドホック通信による無線通信路が確立される。そして、携帯端末１−１は、この無線通信路を介して携帯端末１−２に、自携帯端末１−１が保持している救助要請メッセージを送信する（Ｓ１１３）。
【００２２】
携帯端末１−２は、携帯端末１−１から救助要請メッセージを受信すると、自携帯端末１−２が保持している対応済リストにこの救助要請メッセージが記載されていないことを確認して、この救助要請メッセージを保持する（Ｓ１１４）。それから、接続要求の繰り返し同報送信を停止して、他の携帯端末１から接続要求が送られてくるのを待つ（Ｓ１１５）。
【００２３】
ここで、携帯端末１−３が、携帯端末１−２とアドホック通信可能な距離まで接近してきたものとする（Ｓ１１６）。携帯端末１−２は、携帯端末１−３から同報送信された接続要求を受信して（Ｓ１１７）、応答を返信する（Ｓ１１８）。これにより、携帯端末１−２と携帯端末１−３との間に、アドホック通信による無線通信路が確立される。そして、携帯端末１−２は、この無線通信路を介して携帯端末１−３に、自携帯端末１−２が保持している救助要請メッセージを送信する（Ｓ１１９）。
【００２４】
携帯端末１−３は、携帯端末１−２から救助要請メッセージを受信すると、自携帯端末１−３が保持している対応済リストにこの救助要請メッセージが記載されていないことを確認して、この救助要請メッセージを保持する（Ｓ１２０）。それから、接続要求の繰り返し同報送信を停止して、他の携帯端末１から接続要求が送られてくるのを待つ（Ｓ１２１）。
【００２５】
ここで、携帯端末１−３が基地局４の圏外４２から圏内境界部４１に移動したものとする（Ｓ１２２）。携帯端末１−３は、基地局４の圏内境界部４１に位置していることを検知すると、基地局４に対して帰属処理を行って（Ｓ１２３）、基地局４に帰属する。それから、携帯端末１−３は、基地局４を介して救助センタ装置２に、自携帯端末１−３が保持している救助要請メッセージを送信する（Ｓ１２４）。これにより、基地局４の圏外４２に位置する携帯端末１−１で作成された救助要請メッセージが、他の携帯端末１−２、１−３を介して救助センタ装置２に送信される。その後、携帯端末１−３は、自携帯端末１−３が保持している救助要請メッセージを削除し（Ｓ１２５）、接続要求の繰り返し同報送信を開始する（Ｓ１２６）。なお、対応済リスト配布装置３の対応済リストには、例えば、携帯端末１−１から発せられた救助要請メッセージに救助隊が対応したタイミング等で、この救助要請メッセージが対応済みの救助要請メッセージとしてその対応日時等とともに追加される。
【００２６】
つぎに、携帯端末１−４が基地局４の圏内中央部４０から圏内境界部４１に移動したものとする（Ｓ１２７）。携帯端末１−４は、基地局４の圏内境界部４１に位置していることを検知すると、対応済リスト配信装置３より対応済リストを最後に入手してから所定時間を経過していることを確認し、基地局４を介して対応済リスト配信装置３に対応済リスト要求メッセージ（ＭＳＧ）を送信する（Ｓ１２８）。これを受けて、対応済リスト配信装置３は、最新の対応済リストを携帯端末１−４に送信する（Ｓ１２９）。このとき、この対応済リストには、すでに、携帯端末１−１が作成した救助要請メッセージが対応済みの救助要請メッセージとしてその対応日時等とともに記述されているものとする。
【００２７】
携帯端末１−４は、対応済リスト配信装置３から最新の対応済リストを受信すると、自携帯端末１−４が保持している対応済リストを、この最新の対応済リストに更新する（Ｓ１３０）。また、携帯端末１−４は、接続要求の繰り返し同報送信を開始する（Ｓ１３１）。
【００２８】
ここで、携帯端末１−２が携帯端末１−４とアドホック通信可能な距離まで接近してきたものとする（Ｓ１３２）。携帯端末１−２は、携帯端末１−４から同報送信された接続要求を受信して（Ｓ１３３）、応答を返信する（Ｓ１３４）。これにより、携帯端末１−２と携帯端末１−４との間に、アドホック通信による無線通信路が確立される。そして、携帯端末１−２は、この無線通信路を介して携帯端末１−４に、自携帯端末１−２が保持している携帯端末１−１の救助要請メッセージを送信する（Ｓ１３５）。
【００２９】
携帯端末１−４は、携帯端末１−２から救助要請メッセージを受信すると、自携帯端末１−４が保持している対応済リストにこの救助要請メッセージが記載されていることを確認して、この救助要請メッセージを破棄する（Ｓ１３６）。それから、携帯端末１−４は、この救助要請メッセージが対応済みであること知らせるための対応済通知メッセージ（ＭＳＧ）を作成して携帯端末１−２に送信する（Ｓ１３７）。
【００３０】
携帯端末１−２は、携帯端末１−４から対応済通知メッセージを受信すると、自携帯端末１−２が保持している対応済リストに、自携帯端末１−２が保持している救助要請メッセージを追加して、対応済リストを更新するとともに（Ｓ１３８）、自携帯端末１−２が保持しているこの救助要請メッセージを破棄する（Ｓ１３９）。これにより、携帯端末１−１が作成した救助要請メッセージの拡散が終息する。それから、携帯端末１−２は、接続要求の繰り返し同報送信を開始する（Ｓ１４０）。
【００３１】
つぎに、携帯端末１の詳細について説明する。なお、救助センタ装置２および対応済リスト配信装置３には既存のファイルサーバ等を利用できるので、その詳細な説明を省略している。
【００３２】
図４は、携帯端末１の概略機能構成図である。
【００３３】
図示するように、携帯端末１は、無線ＬＡＮインターフェース部１００と、マンマシンインターフェース部１０１と、ＧＰＳ受信部１０２と、現在地算出部１０３と、インフラストラクチャ通信制御部１０４と、アドホック通信制御部１０５と、圏内判定部１０６と、接続要求処理部１０７と、ユーザ情報記憶部１０８と、救助要請記憶部１０９と、対応済リスト記憶部１１０と、救助要請作成部１１１と、救助要請通報部１１２と、対応済リスト取得部１１３と、救助要請中継部１１４と、対応済通知部１１５と、主制御部１１６と、を備えている。
【００３４】
無線ＬＡＮインターフェース部１００は、無線ＬＡＮに接続するためのインターフェースである。
【００３５】
マンマシンインターフェース部１０１は、音声データおよび画像データを出力したり、操作者から救助要請操作等の操作および音声データ等の入力を受け付けたりするためのインターフェースであり、液晶パネル、スピーカ等の出力装置と、マイク、キー、ポインティングデバイス、タッチセンサ等の入力装置と、を有する。
【００３６】
ＧＰＳ受信部１０２は、ＧＰＳ（Ｇｌｏｂａｌ  Ｐｏｓｉｔｉｏｎｉｎｇ  Ｓｙｓｔｅｍ）衛星から逐次送信されるＧＰＳデータを受信する。
【００３７】
現在地算出部１０３は、ＧＰＳ受信部１０２で受信された最新のＧＰＳデータに基づいて、携帯端末１の現在地を算出する。
【００３８】
インフラストラクチャ通信制御部１０４は、無線ＬＡＮインターフェース部１００によるインフラストラクチャ通信を制御する。具体的には、無線ＬＡＮインターフェース部１００に基地局４との無線通信路を確立させ、この無線通信路を介してＷＡＮ５との通信を行う。
【００３９】
アドホック通信制御部１０５は、無線ＬＡＮインターフェース部１００によるアドホック通信を制御する。具体的には、無線ＬＡＮインターフェース部１００に、基地局４を介することなく他の携帯端末１との無線通信路を確立させ、この無線通信路を介して他の携帯端末１との通信を直接行う。
【００４０】
圏内判定部１０６は、基地局４から逐次送信されるビーコン信号等の受信電波強度に基づいて、自携帯端末１が基地局４の圏内中央部４０に位置しているか、圏内境界部４１に位置しているか、それとも圏外４２に位置しているかを逐次判定する。
【００４１】
接続要求処理部１０７は、他の携帯端末１とアドホック通信を行うための接続要求を処理する。
【００４２】
ユーザ情報記憶部１０８には、携帯端末１の操作者の氏名、住所、緊急連絡先等を含むユーザ情報が記憶されている。
【００４３】
救助要請記憶部１０９には、自携帯端末１が作成、あるいは他の携帯端末１から受信した救助要請メッセージが記憶される。救助要請メッセージには、要救助者の携帯端末１の現在地情報およびユーザ情報が含まれる。
【００４４】
対応済リスト記憶部１１０には、対応済リスト配信装置３から取得した対応済リストが記憶される。図５は、対応済リスト記憶部１１０の登録内容例を模式的に表した図である。図示するように、対応済リスト記憶部１１０には、対応済リスト１１００が取得日時１１１０に対応付けられて記憶される。対応済リスト１１００には、救助隊によって対応済みの救助要請メッセージのレコード１１０１が記憶される。レコード１１０１は、ユーザ情報を登録するフィールド１１０２と、現在地情報を登録するフィールド１１０３と、救助隊による対応日時を登録するフィールド１１０４と、を有する。
【００４５】
救助要請作成部１１１は、ユーザ情報記憶部１０８に記憶されているユーザ情報および現在地算出部１０３で算出された現在地情報を含む救助要請メッセージを作成する。
【００４６】
救助要請通報部１１２は、インフラストラクチャ通信制御部１０４および無線ＬＡＮインターフェース部１００を介して救助センタ装置２に、救助要請記憶部１０９に記憶されている救助要請メッセージを送信する。
【００４７】
対応済リスト取得部１１３は、無線ＬＡＮインターフェース部１００およびインフラストラクチャ通信制御部１０４を介して対応済リスト配信装置３から対応済リスト１１００を取得する。
【００４８】
救助要請中継部１１４は、アドホック通信制御部１０５および無線ＬＡＮインターフェース部１００を介して他の携帯端末１に、救助要請記憶部１０９に記憶されている救助要請メッセージを送信する。あるいは、無線ＬＡＮインターフェース部１００およびアドホック通信制御部１０５を介して他の携帯端末１から救助要請メッセージを受信する。
【００４９】
対応済通知部１１５は、救助要請中継部１１４により他の携帯端末１から受信した救助要請メッセージが、対応済リスト記憶部１１０に記憶されている対応済リスト１１００に掲載されている場合に、この救助要請メッセージが対応済みである旨を示す対応済通知メッセージを、アドホック通信制御部１０５および無線ＬＡＮインターフェース部１００を介して救助要請メッセージの送信元の携帯端末１に送信する。
【００５０】
そして、主制御部１１６は、携帯端末１の各部１００〜１１５を統括的に制御する。
【００５１】
なお、図４に示す携帯端末１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ等の補助記憶装置、およびモデム、ＮＩＣ（Ｎｅｔｗｏｒｋ  Ｉｎｔｅｒｆａｃｅ  Ｃａｒｄ）等の通信インターフェースを備えたＰＣ（Ｐｅｒｓｏｎａｌ  Ｃｏｍｐｕｔｅｒ）、タブレット端末、スマートホン等の汎用コンピュータにおいて、ＣＰＵが所定のプログラムを補助記憶装置からメモリ上にロードして実行することにより実現されるものでもよい。
【００５２】
図６は、携帯端末１の動作を説明するためのフロー図である。
【００５３】
主制御部１１６は、圏内判定部１０６における判定結果に基づいて、自携帯端末１が圏内中央部４０から圏内境界部４１に移動したか否かを判断する（Ｓ２００）。そして、自携帯端末１が圏内中央部４０から圏内境界部４１に移動したと判断したならば（Ｓ２００でＹＥＳ）、主制御部１１６は、対応済リスト記憶部１１０に記憶されている対応済リスト１１００の取得日時１１１０を参照して、対応済リスト１１００の取得日時１１１０と現在の日時とを比較し、この対応済リスト１１００を取得してから所定時間を経過しているか否かを判断する（Ｓ２０１）。
【００５４】
ここで、対応済リスト１１００の取得から所定時間を経過している場合（Ｓ２０１でＹＥＳ）、主制御部１１６は、対応済リスト取得部１１３に対応済リスト１１００の取得を指示する。これを受けて、対応済リスト取得部１１３は、インフラストラクチャ通信制御部１０４および無線ＬＡＮインターフェース部１００を介して対応済リスト配信装置３に対応済リスト要求メッセージを送信し、対応済リスト配信装置３から最新の対応済リスト１１００を取得する。主制御部１１６は、対応済リスト記憶部１１０の内容をクリアして、対応済リスト取得部１１３が取得した最新の対応済リスト１１００を取得日時１１１０に対応付けて対応済リスト記憶部１１０に記憶する（Ｓ２０２）。それから、主制御部１１６は、後述の救助要請支援処理を開始する（Ｓ２０３）。一方、対応済リスト１１００の取得から所定時間を経過していない場合（Ｓ２０１でＮＯ）、主制御部１１６は、直ちに救助要請支援処理を開始する（Ｓ２０３）。
【００５５】
つぎに、主制御部１１６は、救助要請支援処理を開始したならば、圏内判定部１０６における判定結果に基づいて、自携帯端末１が圏内境界部４１から圏内中央部４０に移動したか否かを判断する（Ｓ２０４）。そして、自携帯端末１が圏内境界部４１から圏内中央部４０に移動したと判断したならば（Ｓ２０４でＹＥＳ）、主制御部１１６は、救助要請支援処理を終了し（Ｓ２０５）、Ｓ２００に戻る。
【００５６】
図７は、携帯端末１の救助要請支援処理を説明するためのフロー図である。
【００５７】
まず、主制御部１１６は、接続要求の同報送信を接続要求処理部１０７に指示する。これを受けて、接続要求処理部１０７は、アドホック通信による接続を要求する接続要求を無線ＬＡＮインターフェース部１００から定期あるいは非定期に繰り返し同報送信する（Ｓ３００）。
【００５８】
主制御部１１６は、マンマシンインターフェース部１０１を介して操作者から救助要請操作を受け付けると（Ｓ３０１でＹＥＳ）、ユーザ情報記憶部１０８から操作者のユーザ情報を読み出し、救助要請作成部１１１に、このユーザ情報を渡して救助要請メッセージの作成を指示する。これを受けて、救助要請作成部１１１は、主制御部１１６から受け取ったユーザ情報と、現在地算出部１０３で算出された最新の現在地情報とを含む救助要請メッセージを作成する。主制御部１１６は、この救助要請メッセージを救助要請記憶部１０９に記憶する（Ｓ３０２）。
【００５９】
それから、主制御部１１６は、接続要求の同報送信の停止を接続要求処理部１０７に指示する。これを受けて、接続要求処理部１０７は、接続要求の繰り返し同報送信を停止する（Ｓ３０３）。つぎに、主制御部１１６は、圏内判定部１０６における最新の判定結果を参照し、自携帯端末１が圏内境界部４１に属しているか、それとも圏外４２に属しているかを調べる（Ｓ３０４）。
【００６０】
そして、自携帯端末１が圏内境界部４１に属している場合（Ｓ３０４で「圏内境界部」）、主制御部１１６は、救助要請記憶部１０９に記憶されている救助要請メッセージの送信を救助要請通報部１１２に指示する。これを受けて、救助要請通報部１１２は、自携帯端末１が基地局４に帰属済みか否かを調べ（Ｓ３０５）、基地局４に帰属済みならば（Ｓ３０５でＹＥＳ）、インフラストラクチャ通信制御部１０４および無線ＬＡＮインターフェース部１００を用いてインフラストラクチャ通信により、基地局４経由で救助センタ装置２に救助要請メッセージを送信する。その後、主制御部１１６が救助要請記憶部１０９から送信済みの救助要請メッセージを削除し（Ｓ３０７）、Ｓ３００に戻る。また、自携帯端末１が基地局４に帰属済みでないならば（Ｓ３０５でＮＯ）、救助要請通報部１１２は、インフラストラクチャ通信制御部１０４に基地局４への帰属処理を行わせる（Ｓ３０６）。それから、インフラストラクチャ通信制御部１０４および無線ＬＡＮインターフェース部１００を用いてインフラストラクチャ通信により、基地局４経由で救助センタ装置２に救助要請メッセージを送信する。その後、主制御部１１６が救助要請記憶部１０９から送信済みの救助要請メッセージを削除し（Ｓ３０７）、Ｓ３００に戻る。
【００６１】
一方、自携帯端末１が圏外４２に属している場合（Ｓ３０４で「圏外」）、主制御部１１６は、無線ＬＡＮインターフェース部１００を介して近隣の携帯端末１から同報送信された接続要求を接続要求処理部１０７が受信しているか否かを判断する（Ｓ３０８）。近隣の携帯端末１から接続要求を受信していないならば（Ｓ３０８でＮＯ）、Ｓ３０４に戻り、近隣の携帯端末１から接続要求を受信しているならば（Ｓ３０８でＹＥＳ）、接続要求処理部１０７に応答を指示する。これを受けて、接続要求処理部１０７は、無線ＬＡＮインターフェース部１００を介して接続要求送信元の携帯端末１に応答を返信して、接続要求送信元の携帯端末１との間に、アドホック通信による無線通信路を確立する。アドホック通信による無線通信路が確立すると、主制御部１１６は、救助要請記憶部１０９に記憶されている救助要請メッセージの送信を救助要請中継部１１４に指示する。これを受けて、救助要請中継部１１４は、アドホック通信制御部１０５および無線ＬＡＮインターフェース部１００を用いてアドホック通信により、無線通信路の相手端末１に救助要請メッセージを送信する（Ｓ３０９）。それから、救助要請中継部１１４は、無線ＬＡＮインターフェース部１００およびアドホック通信制御部１０５を介して無線通信路の相手端末１から対応済通知メッセージを所定時間内に受信したか否かを判断する（Ｓ３１０）。
【００６２】
無線通信路の相手端末１から対応済通知メッセージを所定時間内に受信しなかった場合（Ｓ３１０でＮＯ）、救助要請中継部１１４は、アドホック通信制御部１０５に無線通信路を切断させ（Ｓ３１１）、Ｓ３０４に戻る。一方、無線通信路の相手端末１から対応済通知メッセージを所定時間内に受信した場合（Ｓ３１０でＹＥＳ）、救助要請中継部１１４は、この対応済通知メッセージを主制御部１１６に渡す。これを受けて、主制御部１１６は、対応済リスト記憶部１１０に記憶されている対応済リスト１１００に新たなレコード１１０１を追加し、このレコード１１０１のフィールド１１０２、１１０３に、救助要請記憶部１０９に記憶されている救助要請メッセージに含まれているユーザ情報、現在地情報を登録するとともに、フィールド１１０４に、対応済通知メッセージに含まれている対応日時を登録する（Ｓ３１２）。また、主制御部１１６は、救助要請記憶部１０９から対応済みの救助要請メッセージを削除する（Ｓ３１３）。その後、救助要請中継部１１４は、アドホック通信制御部１０５に無線通信路を切断させ（Ｓ３１４）、Ｓ３００に戻る。
【００６３】
また、接続要求処理部１０７は、無線ＬＡＮインターフェース部１００を介して他の携帯端末１から、自携帯端末１が同報送信した接続要求に対する応答を受信すると（Ｓ３２０でＹＥＳ）、応答送信元の携帯端末１との間に、アドホック通信による無線通信路を確立する。アドホック通信による無線通信路が確立すると、救助要請中継部１１４は、無線ＬＡＮインターフェース部１００およびアドホック通信制御部１０５を介して無線通信路の相手端末１から救助要請メッセージを受信し（Ｓ３２１）、この救助要請メッセージを主制御部１１６に渡す。これを受けて、主制御部１１６は、対応済リスト記憶部１１０に記憶されている対応済リスト１１００を参照し、この救助要請メッセージが対応済リスト１１００に掲載されているか否かを調べる。具体的には、この救助要請メッセージに含まれているユーザ情報、現在地情報がフィールド１１０２、１１０３に登録されているレコード１１０１が対応済リスト１１００に含まれているか否かを調べる（Ｓ３２２）。
【００６４】
無線通信路の相手端末１から受信した救助要求メッセージが、対応済リスト記憶部１１０に記憶されている対応済リスト１１００に掲載されていないならば（Ｓ３２２でＮＯ）、主制御部１１６は、この救助要請メッセージを救助要請記憶部１０９に記憶するとともに、この救助要請メッセージをマンマシンインターフェース部１０１に表示して、操作者に救助要請メッセージの受信を知らせる（Ｓ３２３）。その後、救助要請中継部１１４は、アドホック通信制御部１０５に無線通信路を切断させ（Ｓ３２４）、Ｓ３０３に戻る。
【００６５】
一方、無線通信路の相手端末１から受信した救助要請メッセージが、対応済リスト記憶部１１０に記憶されている対応済リスト１１００に掲載されているならば（Ｓ３２２でＹＥＳ）、主制御部１１６は、この救助要請メッセージを破棄する（Ｓ３２５）。また、この救助要請メッセージに含まれているユーザ情報、現在地情報がフィールド１１０２、１１０３に登録されている対応済リスト１１００のレコード１１０１のフィールド１１０４から対応日時を特定し、この対応日時を対応済通知部１１５に通知する。これを受けて、対応済通知部１１５は、主制御部１１６から通知された対応日時を含む対応済通知メッセージを作成し、この対応済通知メッセージを、アドホック通信制御部１０５および無線ＬＡＮインターフェース部１００を用いて無線通信路の相手端末１に送信する（Ｓ３２６）。その後、対応済通知部１１５は、アドホック通信制御部１０５に無線通信路を切断させ（Ｓ３２７）、Ｓ３０１に戻る。
【００６６】
以上、本発明の一実施の形態を説明した。
【００６７】
本実施の形態において、救助要請メッセージを作成あるいは受信した携帯端末１は、この救助要請メッセージを救助要請記憶部１０９に記憶する。そして、自携帯端末１が基地局４の圏内境界部４１に位置しているならば、基地局４を介して救助センタ装置２に救助要請メッセージを送信する。一方、自携帯端末１が基地局４の圏外４２に位置しているならば、他の携帯端末１から接続要求が送られてくるのを待って、他の携帯端末１との間に、アドホック通信による無線通信路を確立し、この無線通信路を介して他の携帯端末１に救助要請メッセージを送信する。また、救助要請メッセージを救助要請記憶部１０９に記憶していない携帯端末１は、定期あるいは非定期に接続要求を繰り返し同報送信する。そして、接続要求に応答した他の携帯端末１との間に、アドホック通信による無線通信路を確立して、他の携帯端末１から救助要請メッセージを受信する。
【００６８】
このため、基地局４の圏外４２に位置する携帯端末１により作成された救助要請メッセージは、この携帯端末１と直接通信可能な少なくとも一台の移動中の携帯端末１に拡散し、基地局４の圏内境界部４１に位置する携帯端末１によって救助センタ装置２に中継される。したがって、救助メッセージを作成した携帯端末１の所在地を含む地域に中継センサ等を多数散布する必要がない。また、救助要請メッセージを救助要請記憶部１０９に記憶している携帯端末１以外の携帯端末１によって接続要求の繰り返し同報送信が行われ、救助要請メッセージを救助要請記憶部１０９に記憶している携帯端末１は、接続要求の繰り返し同報送信を行うことなく、自携帯端末１が基地局４の圏外４２から圏内境界部４１に移動するか、あるいは他の携帯端末１から接続要求を受信するのを待つ。したがって、救助要請メッセージを救助要請記憶部１０９に記憶している携帯端末１のバッテリ消耗を抑制できる。このように、本実施の形態によれば、基地局４の圏外４２に位置する携帯端末１で作成された救助要請メッセージを、周辺地域の環境に負荷をかけることなく低コストでより確実に救助センタ装置２へ通報することができる。
【００６９】
また、本実施の形態において、救助要請メッセージを救助要請記憶部１０９に記憶している携帯端末１は、この救助要請メッセージを救助センタ装置２へ送信した場合に、この救助要請メッセージを救助要請記憶部１０９から削除する。このため、救助センタ装置２に通報済みの救助要請メッセージが、この携帯端末１からさらに拡散するのを防止することができる。
【００７０】
また、本実施の形態において、携帯端末１は、自携帯端末１が基地局４の圏内境界部４１あるいは圏外４２に位置している場合において、救助要請記憶部１０９に救助要請メッセージが記憶されていないときにのみ、接続要求を繰り返し同報送信する。基地局４の圏内中央部４０に位置している場合は、自携帯端末１とアドホック通信可能な距離に位置する他の携帯端末１が、基地局４の圏内（圏内中央部４０あるいは圏内境界部４１）に位置し、インフラストラクチャ通信により救助センタ装置２との通信が可能であると考えられるため、接続要求の繰り返し同報送信は行わない。このため、バッテリが無駄に消耗するのを防止することができる。
【００７１】
また、本実施の形態において、携帯端末１は、アドホック通信により他の携帯端末１から受信した救助要請メッセージが、対応済リスト記憶部１１０に記憶されている対応済リスト１１００に掲載されている場合、この救助要請メッセージを救助要請記憶部１０９に記憶することなく破棄し、この救助要請メッセージが救助隊により対応済みであることを示す対応済通知メッセージを救助要請メッセージの送信元の携帯端末１に送信する。これを受けて、救助要請メッセージの送信元の携帯端末１は、この救助要請メッセージを、対応済リスト記憶部１１０に記憶されている対応済リスト１１００に掲載するとともに、救助要請記憶部１０９から削除する。したがって、本実施の形態によれば、救助隊によりすでに対応済みの救助要請メッセージがさらに複数の携帯端末１に拡散するのを防止することができる。
【００７２】
また、本実施の形態において、携帯端末１は、自携帯端末１が基地局４の圏内境界部４１に位置している場合、つまり、他の携帯端末１からの救助要請メッセージを受信する可能性がある領域に侵入した場合に、対応済リスト記憶部１１０に記憶されている対応済リスト１１００の取得から所定時間を経過しているならば、基地局４を介して対応済リスト配信装置３から最新の対応済リスト１１００を取得して、対応済リスト記憶部１１０の登録内容を最新の対応済リスト１１００に更新する。したがって、本実施の形態によれば、対応済リストを頻繁に更新しなくても、救助隊により対応済みの救助要請メッセージが複数の携帯端末１に拡散するのをより効率的に防止することができる。
【００７３】
なお、本発明は上記の実施の形態に限定されるものではなく、その要旨の範囲内で数々の変形が可能である。
【００７４】
例えば、上記の実施の形態では、無線ＬＡＮのアドホック通信により携帯端末１同士で基地局４を経由することなく通信を行っているが、本発明はこれに限定されない。Ｂｌｕｅｔｏｏｔｈ（登録商標）等のその他の近距離無線通信により携帯端末１同士で基地局４を経由することなく通信を行うものでもよい。
【００７５】
また、上記の実施の形態において、携帯端末１は、無線ＬＡＮのインフラストラクチャ通信により、救助センタ装置２および対応済リスト配信装置３と通信を行っている。しかし、本発明はこれに限定されない。携帯端末１は、３Ｇ回線、ＰＨＳ（Ｐｅｒｓｏｎａｌ  Ｈａｎｄｙ−ｐｈｏｎｅ  Ｓｙｓｔｅｍ）等のその他の無線通信により、救助センタ装置２および対応済リスト配信装置３と通信を行うようにしてもよい。
【００７６】
また、上記の実施の形態において、携帯端末１は、自携帯端末１が基地局４の圏内中央部４０から圏内境界部４１に移動した場合に救助要請支援処理（図７参照）を開始し、自携帯端末１が基地局４の圏内境界部４１から圏内中央部４０に移動した場合に救助要請支援処理を終了している。しかしながら、本発明はこれに限定されない。例えば、携帯端末１が基地局４の圏内（圏内中央部４０あるいは圏内境界部４１）に位置する場合において、操作者から救助要請支援処理の開始指示を受け付ける、あるいは所定の入り口に設置された発信機から救助要請支援処理の開始信号を受信することにより救助要請支援処理を開始し、操作者から救助要請支援処理の終了指示を受け付ける、あるいは所定の出口に設置された発信機から救助要請支援処理の終了信号を受信することにより救助要請支援処理を終了してもよい。また、基地局４の圏内中央部４０に携帯端末１が位置する場合に救助要請操作がなされたときにも、救助要請メッセージを作成して、この救助要請メッセージを、インフラストラクチャ通信制御部１０４および無線ＬＡＮインターフェース部１００を用いたインフラストラクチャ通信により、基地局４経由で救助センタ装置２に送信するようにしてもよい。
【００７７】
また、上記の実施の形態では、基地局４の圏外４２に位置する携帯端末１で作成された救助要請メッセージを救助センタ装置２に通知する緊急通報システムについて説明した。しかし、本発明はこれに限定されない。本発明は、基地局４の圏外４２に位置する携帯端末１で作成された所定の情報を基地局４経由で所定の通報先に通報する通報システムに広く適用できる。
【符号の説明】
【００７８】
１、１−１〜１−４：携帯端末、  ２：救助センタ装置、  ３：対応済リスト配信装置、  ４：基地局、  ５：ＷＡＮ、  ４０：圏内中央部、  ４１：圏内境界部、  ４２：圏外、  １００：無線ＬＡＮインターフェース部、  １０１：マンマシンインターフェース部、  １０２：ＧＰＳ受信部、  １０３：現在地算出部、  １０４：インフラストラクチャ通信制御部、  １０５：アドホック通信制御部、  １０６：圏内判定部、  １０７：接続要求処理部、  １０８：ユーザ情報記憶部、  １０９：救助要請記憶部、  １１０：対応済リスト記憶部、  １１１：救助要請作成部、  １１２：救助要請通報部、  １１３：対応済リスト取得部、  １１４：救助要請中継部、  １１５：対応済通知部、  １１６：主制御部
【図１】
2015005915.tif 000003
【図２】
2015005915.tif 000004
【図３】
2015005915.tif 000005
【図４】
2015005915.tif 000006
【図５】
2015005915.tif 000007
【図６】
2015005915.tif 000008
【図７】
2015005915.tif 000009